(57)【要約】      （修正有）【課題】トランプカードの取り違え等をすることなく表面側背景部の色彩から簡単明瞭にカードのランクを識別して明るく楽しくゲームを満喫出来るように健康増進用１５色カラートランプカードを提供する。【解決手段】従来のスペード、ハート、ダイヤ、クラブの４種類、１３ランク計５２枚のカードにジョーカーとエキストラジョーカー各１枚を加えた総合計５４枚の表面側背景部にランク別に１５種類の識別可能な違いの分かる彩色を施す。オールブラックカードやオールレッドカードを活用して病院のリハビリ科から家庭まで、そしてグループ旅行先の宿泊施設においても活気ある時を過ごせる。土産物や贈呈品としても適している。【選択図】図１０
0003204595.tif 000002
【実用新案登録請求の範囲】
【請求項１】
トランプのランクを表す記番号やマークの数に加えてさらに表面側背景部を各ランク別に明瞭な彩色を施すことによりランクを識別して新しい感覚でトランプゲームを堪出来ることを特徴とする健康増進用１５色カラートランプカード。
【請求項２】
美観上及びカード情報漏洩防止の観点からランク２から全てのカードの表面側の縁に限りランク１の背景部に彩色されたものと同色もって縁取りされていることを特徴とする健康増進用１５色カラートランプカード。
【請求項３】
ランク７に採用されている色彩をラッキーカラーとし、そのトランプカードはラッキーカードとして裏面表紙の基本色に用いて同一外観となる統一デザインが施されていることを特徴とする健康増進用１５色カラートランプカード。
【請求項４】
本考案の実施によってエキストラジョーカーを含めて５４枚中に２枚のオールブラックカードと２枚のオールレッドカードを新たに創設することが出来ることを特徴とする健康増進用１５色カラートランプカード。
【考案の詳細な説明】
【技術分野】
【０００１】  本考案は、トランプのランクを表す記番号やマークの数に加えてさらに表面の背景部を各ランク別に明瞭な彩色を施すことにより新しい感覚でトランプゲームを堪能出来る健康増進用１５色カラートランプカードに関するものである。
【背景技術】
【０００２】  従来の一般的なトランプカードは、印刷技術も未発達であり印刷用インクも希少であった頃に完成された原型を２１世紀の今日でも使用されている。６と９や絵柄が似ていることからＪとＫの取り違え等も起こり改善が望まれていた。
【先行技術文献】
【考案の概要】
【考案が解決しようとする課題】
【０００３】  上述した問題点に鑑み本考案の目的は、トランプカード表面の記番号や中央部にあるスートというマークの数だけからカードが何であるかを識別するのではなく、背景部の色彩によってもカードの１（Ａ）〜１３（Ｋ）およびジョーカー等のランクを識別出来る形態にすることにより楽しい卓上遊戯として活用できる健康増進用カラートランプカードを提供することを目的としている。
【問題を解決するための手段】
【０００４】  上記目的は、従来のスペード、ハート、ダイヤ、クラブの計５２枚のカードにジョーカーとエキストラジョーカー各１枚を加えた総合計５４枚の表面側背景部に彩色を施すことにより達成される。
【０００５】  印刷技術も発達して印刷用インクも多種多様なものが普及している今日では、トランプの表面側背景部に彩色を施すことは膨大な費用を要するというものではない。エキストラジョーカーまで含めても１５種類の色彩になるように彩色すれば良いのである。
【考案の効果】
【０００６】  多くの人々にとって色彩感覚というものはあまり使われないものである。あまり使われない感覚を刺激することは脳の活性化にも役立つ。病院のリハビリ科などでの活用も期待できる。また、何もなかった無地の部分に色彩が入ることから新たな卓上遊戯か生まれることが予想できる。さらにトランプカードは軽くて小さいことから土産物品や贈呈品としての普及も期待できる。
【図面の簡単な説明】
【０００７】
【図１】１５色カラートランプカードを構成するランク１のスペード、ハート、ダイヤ、クラブの各表面側を表す図である。
【図２】１５色カラートランプカードを構成するランク２のスペード、ハート、ダイヤ、クラブの各表面側を表す図である。
【図３】１５色カラートランプカードを構成するランク３のスペード、ハート、ダイヤ、クラブの各表面側を表す図である。
【図４】１５色カラートランプカードを構成するランク４のスペード、ハート、ダイヤ、クラブの各表面側を表す図である。
【図５】１５色カラートランプカードを構成するランク５のスペード、ハート、ダイヤ、クラブの各表面側を表す図である。
【図６】１５色カラートランプカードを構成するランク６のスペード、ハート、ダイヤ、クラブの各表面側を表す図である。
【図７】１５色カラートランプカードを構成するランク７のスペード、ハート、ダイヤ、クラブの各表面側を表す図である。
【図８】１５色カラートランプカードを構成するランク８のスペード、ハート、ダイヤ、クラブの各表面側を表す図である。
【図９】１５色カラートランプカードを構成するランク９のスペード、ハート、ダイヤ、クラブの各表面側を表す図である。
【図１０】１５色カラートランプカードを構成するランク１０のスペード、ハート、ダイヤ、クラブの各表面側を表す図である。
【図１１】１５色カラートランプカードを構成するランク１１のスペード、ハート、ダイヤ、クラブの各表面側を表す図である。
【図１２】１５色カラートランプカードを構成するランク１２のスペード、ハート、ダイヤ、クラブの各表面側を表す図である。
【図１３】１５色カラートランプカードを構成するランク１３のスペード、ハート、ダイヤ、クラブの各表面側を表す図である。
【図１４】１５色カラートランプカードを構成するランク１４のジョーカーの表面側を表す図である。
【図１５】１５色カラートランプカードを構成するランク１５のエキストラジョーカーの表面側を表す図である。
【図１６】１５色カラートランプカードを構成する全カードの裏面側の基本色を示す図である。
【考案を実施するための形態】
【０００８】  以下、添付図面に基づいて本考案の実施形態について説明する。
【０００９】  本考案の１５色カラートランプカードは、表面側背景部の色彩においてもランクを識別することが出来るトランプカードである。本実施形態は、図１〜図１５図に示す通り５４枚一組のカードで構成されている。
【００１０】  図１に示す４種のカードの左上・右下コーナー部には、ランク１を表す記番号Ａ（エース）の文字が表示され、併せてスペード、ハート、ダイヤ、クラブの小さな絵柄マークと中央部には、大きな絵柄マークがランク表す個数だけ表示されている。さらに本考案では、それらの背景部にランク１を表す乳白色（ミルキーホワイト）で彩色が施されている。記番号とマークは、スペードとクラブは黒色で、ハートとダイヤは赤色である。以下同じであるので図１５までの記番号とマークの色彩名は省略する。
【００１１】  図２に示す４種のカードの左上・右下コーナー部には、ランク２を表す記番号２の数字が表示され、併せてスペード、ハート、ダイヤ、クラブの小さな絵柄マークと中央部には、大きな絵柄マークがランクを表す個数だけ表示されている。さらに本考案では、それらの背景部にランク２を表す桃色（ピンク）で彩色が施されている。そして四方の縁に限りランク１を表す乳白色（ミルキーホワイト）で縁取りが施されている。縁取りについては、美観上とカード情報漏洩防止の観点からある。この縁取りについては以下同じであるので図１５まで省略する。
【００１２】  図３に示す４種のカードの左上・右下コーナー部には、ランク３を表す記番号３の数字が表示され、併せてスペード、ハート、ダイヤ、クラブの小さな絵柄マークと中央部には、大きな絵柄マークがランクを表す個数だけ表示されている。さらに本考案では、それらの背景部にランク３を表す黄色（イエロー）で彩色が施されている。
【００１３】  図４に示す４種のカードの左上・右下コーナー部には、ランク４を表す記番号４の数字が表示され、併せてスペード、ハート、ダイヤ、クラブの小さな絵柄マークと中央部には、大きな絵柄マークがランクを表す個数だけ表示されている。さらに本考案では、それらの背景部にランク４を表す茶色（ブラウン）で彩色が施されている。
【００１４】  図５に示す４種のカードの左上・右下コーナー部には、ランク５を表す記番号５の数字が表示され、併せてスペード、ハート、ダイヤ、クラブの小さな絵柄マークと中央部には、大きな絵柄マークがランクを表す個数だけ表示されている。さらに本考案では、それらの背景部にランク５を表す黄緑色（イエローグリーン）で彩色が施されている。
【００１５】  図６に示す４種のカードの左上・右下コーナー部には、ランク６を表す記番号６の数字が表示され、併せてスペード、ハート、ダイヤ、クラブの小さな絵柄マークと中央部には、大きな絵柄マークがランクを表す個数だけ表示されている。さらに本考案では、それらの背景部にランク６を表す橙色（オレンジ）で彩色が施されている。
【００１６】  図７に示す４種のカードの左上・右下コーナー部には、ランク７を表す記番号７の数字が表示され、併せてスペード、ハート、ダイヤ、クラブの小さな絵柄マークと中央部には、大きな絵柄マークがランクを表す個数だけ表示されている。さらに本考案では、それらの背景部にランク７を表す藍色（ジャパンブルー）で彩色が施されている。
【００１７】  図８に示す４種のカードの左上・右下コーナー部には、ランク８を表す記番号８の数字が表示され、併せてスペード、ハート、ダイヤ、クラブの小さな絵柄マークと中央部には、大きな絵柄マークがランクを表す個数だけ表示されている。さらに本考案では、それらの背景部にランク８を表す緑色（グリーン）で彩色が施されている。
【００１８】  図９に示す４種のカードの左上・右下コーナー部には、ランク９を表す記番号９の数字が表示され、併せてスペード、ハート、ダイヤ、クラブの小さな絵柄マークと中央部には、大きな絵柄マークがランクを表す個数だけ表示されている。さらに本考案では、それらの背景部にランク９を表す紺色（ネービーブルー）で彩色が施されている。
【００１９】  図１０に示す４種のカードの左上・右下コーナー部には、ランク１０を表す記番号１０の数字が表示され、併せてスペード、ハート、ダイヤ、クラブの小さな絵柄マークと中央部には、大きな絵柄マークがランクを表す個数だけ表示されている。さらに本考案では、それらの背景部にランク１０を表す黒色（ブラック）で彩色が施されている。
【００２０】  図１１に示す４種のカードの左上・右下コーナー部には、ランク１１を表す記番号Ｊ（ジャック）の文字が表示され、併せてスペード、ハート、ダイヤ、クラブの小さな絵柄マークと中央部には、ジャックを表す肖像画が上下両方向から分かるように描かれている。さらに本考案では、それらの背景部にランク１１を表す銀色（シルバー）で彩色が施されている。
【００２１】  図１２に示す４種のカードの左上・右下コーナー部には、ランク１２を表す記番号Ｑ（クイーン）の文字が表示され、併せてスペード、ハート、ダイヤ、クラブの小さな絵柄マークと中央部には、クイーンを表す肖像画が上下両方向から分かるように描かれている。さらに本考案では、それらの背景部にランク１２を表す赤色（レッド）で彩色が施されている。
【００２２】  図１３に示す４種のカードの左上・右下コーナー部には、ランク１３を表す記番号Ｋ（キング）の文字が表示され、併せてスペード、ハート、ダイヤ、クラブの小さな絵柄マークと中央部には、キングを表す肖像画が上下両方向から分かるように描かれている。さらに本考案では、それらの背景部にランク１３を表す金色（ゴールド）で彩色が施されている。
【００２３】  図１４に示す４種のカードの左上・右下コーナー部には、ランク１４を表すＪＯＫＥＲ（ジョーカー）の文字が表示され、中央部には、ジョーカーを表す人物画が一人だけ不気味に描かれている。さらに本考案では、それらの背景部にランク１４を表す紫色（パープル）で彩色が施されている。
【００２４】  図１５に示す４種のカードの左上・右下コーナー部には、ランク１５を表すＥ・ＪＯＫＥＲ（エキストラジョーカー）の文字が表示され、中央部には、エキストラジョーカーを表す人物画が一人だけ不気味に描かれている。さらに本考案では、それらの背景部にランク１５を表す灰色（グレー）で彩色が施されている。
【００２５】  図１６に示す藍色（ジャパンブルー）は、ランク７の表面側背景部に用いられた色彩と同色である。今日の日本では、ラッキーセブンという言葉は日常句であることに鑑み、本考案ではランク７に該当することになった色彩をラッキーカラーとしカードはラッキーカードとして裏面表紙の基本色に用いて同一外観となる統一デザインが施されている。
【００２６】  各ランクに採用された色彩は、自由に差し替えることが出来る。橙色を山吹色に、藍色を青色に、紫色を青紫色等に替えることも自由である。ただし、それらの併用は出来ない。勘違いや実際の取り違えの原因になるからである。
【００２７】  男性は寒色系の色彩を好み、女性は暖色系の色彩を好む傾向にある。従って、ランク７の表面側背景部に桃色（ピンク）を採用すればラッキーカラーとして裏面表紙の基本色にも用いられるので女性トランプファンには朗報となる。
【００２８】  従来のトランプカードには黒カードと赤カードという組み合わせがありますが本考案では、さらにオールブラックカードというものが新たに創設出来る。背景部に黒色（ブラック）を用いたランクのスペードとクラブの２枚がオールブラックカードに相当する。
【００２９】  また、本考案では、オールレッドカードというものも新たに創設出来る。背景部に赤色（レッド）を用いたランクのハートとダイヤの２枚がオールレッドカードに相当する。
【００３０】  上述した特徴を有する１５色カラートランプカードによれば、従来のトランプカード表面側背景部の色彩で各カードのランクを識別出来るという機能が新たに加わりゲーム参加者の色彩感覚を活性化させるものとなる。これは日本のトランプカードとして土産品や贈呈品等で広く普及されることが期待できる。また、新たに創設できることになるラッキーカード、オールブラックカード、オールレッドカードを活用した近未来的な新たな卓上遊戯ルールを創作して明るく楽しい時間を謳歌できるのでトランプカードの更なる普及が期待出来る。
【図１】
0003204595.tif 000003
【図２】
0003204595.tif 000004
【図３】
0003204595.tif 000005
【図４】
0003204595.tif 000006
【図５】
0003204595.tif 000007
【図６】
0003204595.tif 000008
【図７】
0003204595.tif 000009
【図８】
0003204595.tif 000010
【図９】
0003204595.tif 000011
【図１０】
0003204595.tif 000012
【図１１】
0003204595.tif 000013
【図１２】
0003204595.tif 000014
【図１３】
0003204595.tif 000015
【図１４】
0003204595.tif 000016
【図１５】
0003204595.tif 000017
【図１６】
0003204595.tif 000018
【手続補正書】
【提出日】平成28年3月17日(2016.3.17)
【手続補正１】
【補正対象書類名】実用新案登録請求の範囲
【補正対象項目名】請求項１
【補正方法】変更
【補正の内容】
【請求項１】
トランプのランクを表す記番号やマークの数に加えてさらに表面側背景部をランク別に明瞭な彩色を施すことにより１５のランクを識別して新しい感覚でトランプゲームを堪能出来ることを特徴とする健康増進用１５色カラートランプカード。
【手続補正２】
【補正対象書類名】実用新案登録請求の範囲
【補正対象項目名】請求項３
【補正方法】変更
【補正の内容】
【請求項３】
ランク７に採用されている表面側背景部の色彩をラッキーカラーとしてそのトランプカードをラッキーカードにすると共にそのラッキーカラーを裏面表紙の基本色に用いて同一外観となる統一デザインが施されていることを特徴とする健康増進用１５色カラートランプカード。
【手続補正３】
【補正対象書類名】実用新案登録請求の範囲
【補正対象項目名】請求項４
【補正方法】変更
【補正の内容】
【請求項４】
エキストラジョーカーを含めて全５４枚中に２枚のオールブラックカード及び２枚のオールレッドカードを新たに創設することが出来ることを特徴とする請求項１に記載の健康増進用１５色カラートランプカード。